(57)【要約】　　　（修正有）【課題】有機ＥＬの輝度の経時変化を補償する。【解決手段】複数の走査線と、複数の信号線と、これらの各交差部に対応してそれぞれ配設された電気光学素子とを備え、電気光学素子に供給する駆動電流の量に応じて輝度を調整する。このため、電気光学素子の点灯時間を計測する点灯時間計測部と、点灯時間記憶部と、電気光学素子の輝度を補正すべく、点灯時間に基づき駆動電流量を調整する駆動電流量調整部とを備える。【選択図】　図１
2004029715.tif 000002
【特許請求の範囲】
【請求項１】
複数の電気光学素子を備え、前記複数の電気光学素子に供給される駆動電力量に応じて輝度が設定される電気光学装置であって、
前記電気光学素子の点灯時間を計測する点灯時間計測部と、
前記点灯時間計測部で計測された点灯時間を記憶する点灯時間記憶部と、
前記点灯時間記憶部に記憶された前記点灯時間に基づき前記駆動電力量を調整する駆動電力量調整部と、
を備えることを特徴とする電気光学装置。
【請求項２】
複数の走査線と、複数の信号線と、前記複数の走査線と前記複数の信号線との交差部に対応して配設された電気光学素子とを備え、　前記複数の信号線を介して供給されるデータ信号に応じて輝度が設定される電気光学装置であって、
前記複数の信号線を介して供給されるデータ信号の量を計測するデータ信号計測部と、
前記データ信号計測部で計測された前記データ信号を記憶するデータ信号量記憶部と、
前記データ信号量記憶部に記憶された前記データ信号量に基づき前記駆動電力量を調整する駆動電力量調整部と、
を備えることを特徴とする電気光学装置。
【請求項３】
請求項２に記載の電気光学装置において、
前記電気光学素子としてＲ、Ｇ、Ｂ（赤、緑、青）の３種類の電気光学素子が設けられ、
前記データ信号量計測部は前記３種類の電気光学素子のデータ信号量を種類毎に計測し、
前記データ信号量記憶部は前記データ信号量計測部で計測された前記３種類の電気光学素子の当該データ信号量を種類毎に記憶し、
前記駆動電流量調整部は前記データ信号記憶部に記憶された前記３種類の電気光学素子の各々の種類に対して記憶された当該データ信号量に基づき前記駆動電力量を調整すること、
を特徴とする電気光学装置。
【請求項４】
請求項１乃至３のいずれかに記載の電気光学装置が実装されてなる電子機器。
【請求項５】
電気光学素子を備えた電気光学装置の駆動方法であって、
前記電気光学素子の点灯時間を計測し、
計測された前記点灯時間を記憶し、
記憶された前記点灯時間に基づき前記電気光学素子に供給する駆動電力量を調整する、
ことを特徴とする電気光学装置の駆動方法。
【請求項６】
複数の走査線と、複数の信号線と、前記走査線と各前記信号線との各交差部に対応してそれぞれ配設された電気光学素子とを備え、前記電気光学素子に供給する駆動電力量及び画像データに応じて動作する電気光学装置の駆動方法であって、
前記電気光学素子への前記画像データの量を計測し、
計測された前記画像データ量を記憶し、
記憶された前記画像データ量に基づき前記駆動電力量を調整する、
ことを特徴とする電気光学装置の駆動方法。
【請求項７】
請求項６に記載の電気光学装置の駆動方法であって、Ｒ、Ｇ、Ｂ（赤、緑、青）の三色別に前記画像データ量を計測し、計測された前記Ｒ、Ｇ、Ｂ別の前記画像データ量を記憶し、記憶された前記各Ｒ、Ｇ、Ｂの前記画像データ量に基づき前記駆動電力量を調整することを特徴とする電気光学装置の駆動方法。
【発明の詳細な説明】
【０００１】
【発明の属する技術分野】
本発明は、電気光学装置、その駆動方法、及び電子機器に関する。
【０００２】
【従来の技術】
例えば有機ＥＬ表示装置においては、これを構成する有機ＥＬ素子の点灯輝度の経時劣化が、無機ＥＬ表示装置に比べ、大幅に速いという事情がある。つまり、点灯時間が累積してくると、輝度の低下が顕著となる。例えば、有機ＥＬ表示装置では、例えば３００ｃｄ／ｍ２の輝度で点灯させると、１万時間程度が限界であった。
【０００３】
そこで、輝度低下を防止すべく、製造方法を改良することで対処している（特許文献１及び２を参照）。
【特許文献１】特開平１１−１５４５９６号公報
【特許文献２】特開平１１−２１４１５７号公報
【０００４】
【発明が解決しようとする課題】
しかしながら、現実には、製造方法の改良技術というアプローチでは輝度低下の発生を完全に防止することは困難である。本発明は、このような問題を解決するものであり、その目的は、回路技術というアプローチでもって、輝度の経時変化を補償する技術を提供することにある。
【０００５】
【課題を解決するための手段】
本発明の第１の電気光学装置は、複数の電気光学素子を備え、前記複数の電気光学素子に供給される駆動電力量に応じて輝度が設定される電気光学装置であって、前記電気光学素子の点灯時間を計測する点灯時間計測部と、前記点灯時間計測部で計測された点灯時間を記憶する点灯時間記憶部と、前記点灯時間記憶部に記憶された前記点灯時間に基づき前記駆動電力量を調整する駆動電力量調整部と、を備えることを特徴とする。
【０００６】
本発明の第２の電気光学装置は、複数の走査線と、複数の信号線と、前記複数の走査線と前記複数の信号線との交差部に対応して配設された電気光学素子とを備え、　前記複数の信号線を介して供給されるデータ信号に応じて輝度が設定される電気光学装置であって、　前記複数の信号線を介して供給されるデータ信号の量を計測するデータ信号計測部と、　前記データ信号計測部で計測された前記データ信号を記憶するデータ信号量記憶部と、　前記データ信号量記憶部に記憶された前記データ信号量に基づき前記駆動電力量を調整する駆動電力量調整部と、を備えることを特徴とする。
【０００７】
上記の電気光学装置において、前記電気光学素子としてＲ、Ｇ、Ｂ（赤、緑、青）の３種類の電気光学素子が設けられ、前記データ信号量計測部は前記３種類の電気光学素子のデータ信号量を種類毎に計測し、前記データ信号量記憶部は前記データ信号量計測部で計測された前記３種類の電気光学素子の当該データ信号量を種類毎に記憶し、前記駆動電流量調整部は前記データ信号記憶部に記憶された前記３種類の電気光学素子の各々の種類に対して記憶された当該データ信号量に基づき前記駆動電力量を調整するようにしてもよい。
【０００８】
上記の電気光学装置において、前記駆動電力量調整部は、具体的には、例えば、累積点灯時間あるいは累積のデータ信号量に応じてデジタルデータあるいはアナログデータを加工するデータ補正回路、または、電気光学素子に印加する駆動電圧を調整する駆動電圧制御回路が挙げられる。さらには、電気光学素子に供給するアナログデータを生成するＤＡＣの参照電圧を生成する回路であってもよい。
【０００９】
また、本発明の電子機器にあっては、上述の電気光学装置が実装されてなる。
【００１０】
本発明の第１の電気光学装置の製造方法は、電気光学素子を備えた電気光学装置の駆動方法であって、前記電気光学素子の点灯時間を計測し、計測された前記点灯時間を記憶し、記憶された前記点灯時間に基づき前記電気光学素子に供給する駆動電力量を調整する、
ことを特徴とする。
【００１１】
本発明の第２の電気光学装置の駆動方法は、複数の走査線と、複数の信号線と、前記走査線と各前記信号線との各交差部に対応してそれぞれ配設された電気光学素子とを備え、前記電気光学素子に供給する駆動電力量及び画像データに応じて動作する電気光学装置の駆動方法であって、前記電気光学素子への前記画像データの量を計測し、計測された前記画像データ量を記憶し、記憶された前記画像データ量に基づき前記駆動電力量を調整する、
ことを特徴とする。
【００１２】
上記載の電気光学装置の駆動方法において、Ｒ、Ｇ、Ｂ（赤、緑、青）の三色別に前記画像データ量を計測し、計測された前記Ｒ、Ｇ、Ｂ別の前記画像データ量を記憶し、記憶された前記各Ｒ、Ｇ、Ｂの前記画像データ量に基づき前記駆動電力量を調整するようにしてもよい。
【００１３】
なお、本発明にあっては、画素の色として、Ｒ、Ｇ、Ｂ（赤、緑、青）の三色だけに限らず、他の色でもよい。
【００１４】
本発明の他の特徴については、添付図面及び以降の記載により明らかにされる。
【００１５】
【発明の実施の形態】
本発明の一実施の形態を説明する。本形態では、電気光学装置として、有機エレクトロルミネッセンス素子（以下、有機ＥＬ素子と称する）を用いた表示装置（以下、有機ＥＬ表示装置と称する）、並びに、その駆動方法を例にとり、説明する。
【００１６】
まず、有機ＥＬ表示装置について簡単に説明する。有機ＥＬ表示装置を構成する有機ＥＬパネルは、よく知られているように、有機ＥＬ素子を含む単位画素をマトリクス状に配列して形成されている。単位画素の回路構成及び動作としては、例えば書名「電子ディスプレイ」（松本正一著，株式会社オーム社刊，平成８年６月２０日発行）に記載されているように（主として第１３７頁）、各単位画素へ駆動電流を供給することにより、二つのトランジスタとキャパシタで構成されるアナログメモリに所定の電圧を書き込むことで有機ＥＬ素子の点灯（点灯）を制御している。
【００１７】
本発明に係る実施の形態では、有機ＥＬ表示装置の点灯時間を直接的あるいは間接的に計測して、その累積時間に応じて有機ＥＬ素子に供給する電流値を調整する。
【００１８】
＝＝＝＝＝第一実施例＝＝＝＝＝
本実施例では、有機ＥＬ表示装置の累積点灯時間を計測するにあたり、後述するフレーム同期信号ＦＣＬＫをカウントする。
【００１９】
具体的には、図１（ａ）に示すように、本実施例に係る有機ＥＬ表示装置は、シーケンス制御回路１０と、フラッシュメモリ等で構成される不揮発性メモリ２０と、ＦＣＬＫカウンタ３０、駆動電流制御回路４０、周知のＤＡＣ（Ｄ−Ａコンバータ）及び定電流駆動回路で構成されるドライバ５０、及び有機ＥＬパネル６０で構成される。駆動電流制御回路４０は、図１（ｂ）に示すように、出力補正テーブル４０ａとセレクタ４０ｂとＤＡＣ（Ｄ−Ａコンバータ）４０ｃで構成される。
【００２０】
次に、シーケンス制御回路１０の動作について説明する。図１（ａ）（ｂ）のブロック図に示すように、シーケンス制御回路１０は、不揮発性メモリ２０に記憶された累積点灯時間ａを読み出す（図２中のフローチャートにおけるのＳ１０の処理に相当）。累積点灯時間ａは、典型的には、本装置出荷直後の使用開始時から起算した時間とすることが好ましい。この際、シーケンス制御回路１０は、読み出し信号ｂ１を“Ｈ”として不揮発メモリ２０へ出力し、累積点灯時間ａの読み出しを可能としておく。
次に、シーケンス制御回路１０は、累積点灯時間ａに応じたセレクト信号ｃを駆動電流制御回路４０へ出力する。セレクタ４０ｂは、シーケンス制御回路１０からセレクト信号ｃを受け取り、累積点灯時間に応じた輝度補償を行うべく、出力補正テーブル４０ａを参照してＤＡＣ４０ｃへ信号ｄを出力する。この出力信号ｄに応じ、ＤＡＣ４０ｃは、基準電圧Ｖｃｅｎに基づきドライバ５０に含まれるＤＡＣの基準電圧となる参照電圧Ｖｒｅｆをドライバ５０へ出力する（図２中のＳ２０の処理に相当）。ここで、基準電圧Ｖｃｅｎは本装置製造時あるいは出荷時に設定しておくことが好ましい。
【００２１】
次に、シーケンス制御回路１０は、不揮発メモリ２０の累積点灯時間ａをＦＣＬＫカウンタ３０に転送（図２中のＳ３０の処理に相当）した上で、表示許可信号（ｆ＝“Ｈ”）及びフレーム同期信号ｇをＦＣＬＫカウンタ３０へ出力する（図２中のＳ４０の処理に相当）。次に、シーケンス制御回路１０は、Ｒｅｄ（赤）、Ｇｒｅｅｎ（緑）、Ｂｌｕｅ（青）（以下、ＲＧＢデータと称する）の各デジタルデータｈがシーケンス制御回路１０からドライバ５０に含まれるＤＡＣに入力される（図２中のＳ５０の処理に相当）。この時、デジタルデータｈのドライバ５０におけるデジタル−アナログ変換は、デジタルデータｈの供給が開始された直後は、少なくとも、上述の、累積点灯時間ａに基づいて得られた参照電圧Ｖｒｅｆに基づいて行われ、デジタルデータｈに対応したアナログデータｅが、有機ＥＬパネル６０へに供給されることとなる。つまり、同じデジタルデータをドライバ５０に入力しても、累積点灯時間ａに応じて補正されたアナログデータｅが有機ＥＬパネル６０に供給されることになる。ここで、アナログデータｅとは電圧信号であってもよいし、電流信号であってもよい。
デジタルデータｈが出力されている間、ドライバ５０を通じて所定のアナログデータｅが有機ＥＬパネル６０に供給され、有機ＥＬパネル６０に画像が表示されるとともに、フレーム同期信号ｇのカウントがＦＣＬＫカウンタ３０で行われる。このとき、ＦＣＬＫカウンタ３０は、予め読み込んでおいた累積点灯時間ａにフレーム同期信号ｇのカウント値を加えてカウントデータｉとする。
【００２２】
その後、シーケンス制御回路１０は、ＲＧＢデータの出力を停止して有機ＥＬパネル６０を画像非表示状態とし、表示不許可信号（ｆ＝“Ｌ”）をＦＣＬＫカウンタ３０へ出力するとともに、フレーム同期信号ｇの出力を停止する（図２のＳ６０の処理に相当）。これにより、フレーム同期信号ｇのカウントが停止する。次いで、ＦＣＬＫカウンタ３０で計測したカウントデータｉを不揮発性メモリ２０に書き込む（図２のＳ７０の処理に相当）。この際、シーケンス制御回路１０は、不揮発メモリの書き込み信号ｂ２を“Ｈ”として不揮発メモリ２０へ出力し、カウントデータｉの書き込みを可能としておく。この書き込まれたカウントデータｉが新たな累積点灯時間ａとなる。
【００２３】
なお、シーケンス制御回路１０、ＦＣＬＫカウンタ３０、出力補正テーブル４０ａ、セレクタ４０ｂ及びＤＡＣ４０ｃは、適宜、ソフトウエア、あるいは、ハードウエアで構成できる。また、ドライバ５０は、電流駆動回路、あるいは、電圧駆動回路のいずれでも構成できる。
【００２４】
ここで、本発明による輝度補正の手法を、アナログデータｅが電流信号である場合について説明する。有機ＥＬパネル６０へ供給されるドライバ駆動電流に対する輝度の特性グラフを図３に示す。図３における使用初期の累積点灯時間がｔ１の特性グラフでは、電流レベルＩａに対して輝度Ｌ１が得られる。しかしながら、経時劣化が進行して特性が変化し、累積点灯時間がｔ１０の時点になると、その特性グラフに示すように、累積点灯時間ｔ１の場合に比して、同じ電流レベルＩａに対しては輝度がＬ１０となり、低下してしまう。そこで、使用初期の累積点灯時間ｔ１のグラフと同等の輝度Ｌ１を得る場合、前述した図１の累積点灯時間ａ及び出力補正テーブル４０ａにより電流レベルを補正し、その値をＩｂとするのである。
【００２５】
＝＝＝＝＝第二実施例＝＝＝＝＝
本実施例では、後述する画像データの総和をカウントすることにより、有機ＥＬ表示装置の累積輝度を推定し、ドライバ５０に含まれるＤＡＣの基準電圧を設定する。この点以外は、前述した第一実施例と共通するため、相違点を中心に説明する。
【００２６】
具体的には、図４に示すように、本実施例に係る有機ＥＬ表示装置は、図１におけるＦＣＬＫカウンタ３０に代えてＲＧＢカウンタ３１が配設される。ここで、ＲＧＢカウンタ３１は、Ｒ、Ｇ、Ｂの少なくとも１種類の電気光学素子のデータ量を累積輝度として計測するものでもよいが、本実施例では、Ｒ、Ｇ、及びＢ、全てのデータ量を累積輝度として計測している。
【００２７】
シーケンス制御回路の動作を説明する。図４のブロック図に示すように、シーケンス制御回路１０は、不揮発メモリ２０に記憶された累積輝度ｊを読み出す（図５中のフローチャートにおけるＳ１０の処理に相当）。この際、シーケンス制御回路１０は、読み出し信号ｂ１を“Ｈ”として不揮発メモリ２０へ出力し、累積輝度ｊの読み出しを可能としておく。次に、シーケンス制御回路１０は、累積輝度ｊに応じたセレクト信号ｃを駆動電流制御回路４０へ出力する。ここで、駆動電流制御回路４０は図１（ｂ）に示された構成と同等である。セレクタ４０ｂは、シーケンス制御回路１０からセレクト信号ｃを受け取り、累積輝度に応じた輝度補償を行うべく、出力補正テーブル４０ａを参照してＤＡＣ４０ｃへ所定の信号を出力する。この出力信号に応じ、ＤＡＣ４０ｃは基準電圧Ｖｃｅｎに基づき得られた参照電圧Ｖｒｅｆをドライバ５０へ出力する（図５中のＳ２０の処理に相当）。
【００２８】
次に、シーケンス制御回路１０は、不揮発メモリ２０の累積輝度ｊをＲＧＢカウンタ３１に転送（図５中のＳ３０の処理に相当）した上で、表示許可信号（ｆ＝“Ｈ”）及びフレーム同期信号ｇ（例えば、１フレーム毎のクロックではなく、１ピクセルのデータを転送する際の同期クロック）をＲＧＢカウンタ３１へ出力する（図５中のＳ４０の処理に相当）。次に、シーケンス制御回路１０は、Ｒ、Ｇ、Ｂのデジタルデータ（以下、ＲＧＢデータと称する）ｈをドライバ５０に供給し、ＲＧＢカウンタ３１へも出力する（図５中のＳ５０の処理に相当）。このＲＧＢデータｈが出力されている間、ドライバ５０を通じて、累積輝度ｊに応じて設定された参照電圧Ｖｒｅｆに基づいてＲＧＢデータｈがアナログ変換されアナログデータｅを生成し、このアナログデータｅが有機ＥＬパネル６０に供給されることとなる。
ＲＧＢデータｈの供給が開始されてから、ＲＧＢデータｈの総和のカウントがＲＧＢカウンタ３１で行われる。このとき、ＲＧＢカウンタ３１は、予め読み込んでおいた累積輝度ｊに各ＲＧＢデータｈの総和のカウント値を加えてカウントデータｋとする。
【００２９】
その後、シーケンス制御回路１０は、ＲＧＢデータｈの出力を停止して有機ＥＬパネル６０を画像非表示状態とし、表示不許可信号（ｆ＝“Ｌ”）をＲＧＢカウンタ３１へ出力するとともに、フレーム同期信号ｇの出力を停止する（図５中のＳ６０の処理に相当）。このことで、ＲＧＢデータｈの総和のカウントが停止する。次いで、ＲＧＢカウンタ３１で計測したカウントデータｋを不揮発性メモリ２０に書き込む（図５中のＳ７０の処理に相当）。この際、シーケンス制御回路１０は、不揮発メモリの書き込み信号ｂ２を“Ｈ”として不揮発メモリ２０へ出力し、カウントデータｋの書き込みを可能としておく。この書き込まれたカウントデータｋが新たな累積輝度ｊとなる。
【００３０】
なお、シーケンス制御回路１０、ＲＧＢカウンタ３１、出力補正テーブル４０ａ、セレクタ４０ｂ及びＤＡＣ４０ｃは、適宜、ソフトウエア、あるいは、ハードウエアで構成できる。また、ドライバ５０は、電流駆動回路、あるいは、電圧駆動回路のいずれでも構成できる。また、本実施例における輝度補正の手法は上記の第一実施例で説明した通りである。
【００３１】
＝＝＝＝＝第三実施例＝＝＝＝＝
本実施例では、後述する画像データをＲ、Ｇ、Ｂ別にカウントすることにより、有機ＥＬ表示装置の累積輝度を推定する。これにより精密な累積輝度を推定できる。この点以外は、前述した第二実施例と共通するため、相違点を中心に説明する。
【００３２】
具体的には、図６に示すように、本実施例の有機ＥＬ表示装置にあっては、図４における不揮発メモリ２０をＲ、Ｇ、Ｂ個別の不揮発メモリ２０ａ、２０ｂ、２０ｃにより構成するとともに、図４におけるＲＧＢカウンタ３１をＲ、Ｇ、Ｂ個別のカウンタ３１ａ、３１ｂ、３１ｃにより構成する。また、図４における駆動電流制御回路４０をＲ、Ｇ、Ｂ個別の回路４１、４２、４３により構成する。
【００３３】
次に、シーケンス制御回路の動作について説明する。図６のブロック図に示すように、シーケンス制御回路１０は、各不揮発メモリ２０ａ、２０ｂ、２０ｃに記憶された各Ｒ，Ｇ，Ｂの累積輝度ｊ１，ｊ２，ｊ３を読み出す（図７のフローチャートにおけるＳ１０の処理に相当）。この際、シーケンス制御回路１０は、読み出し信号ｂ１を“Ｈ”として不揮発メモリ２０へ出力し、各Ｒ、Ｇ、Ｂ毎の累積輝度ｊ１，ｊ２，ｊ３の読み出しを可能としておく。次に、シーケンス制御回路１０は、各累積輝度ｊ１，ｊ２，ｊ３に応じた各セレクト信号ｃ１，ｃ２，ｃ３を各駆動電流制御回路４１、４２、４３へ出力する。ここで、各駆動電流制御回路４１、４２、４３のそれぞれは図１（ｂ）に示された構成と同様の構成を有する。各駆動電流制御回路４１、４２、４３におけるセレクタ４０ｂは、シーケンス制御回路１０から各セレクト信号ｃ１，ｃ２，ｃ３を受け取り、Ｒ、Ｇ、及びＢのそれぞれの累積輝度に応じた輝度補償を行うべく、出力補正テーブル４０ａを参照してＤＡＣ４０ｃへ所定の信号を出力する。この出力信号に応じ、ＤＡＣ４０ｃは基準電圧Ｖｃｅｎに基づき、Ｒ、Ｇ、Ｂ毎に得られた参照電圧ＶｒｅｆをＲ、Ｇ、Ｂをドライバ５０へ出力する（図７のＳ２０の処理に相当）。
【００３４】
次に、シーケンス制御回路１０は、各不揮発メモリ２０ａ、ｂ、ｃの各累積輝度ａ１，ａ２，ａ３をＲＧＢカウンタ３１ａ、３１ｂ、３１ｃに転送（図７のＳ３０の処理に相当）した上で、表示許可信号（ｆ＝“Ｈ”）及びフレーム同期信号ｇ（この実施例では、１フレーム毎のクロックではなく、１ピクセルのデータを転送する際の同期クロック）を各Ｒ、Ｇ、Ｂカウンタ３１ａ、３１ｂ、３１ｃへ出力する（図７のＳ４０の処理に相当）。次に、シーケンス制御回路１０は、Ｒｅｄ（赤）、Ｇｒｅｅｎ（緑）、Ｂｌｕｅ（青）の各画像データ（以下、ＲＧＢデータと称する）ｈ１，ｈ２，ｈ３をドライバ５０に加えて各Ｒ、Ｇ、Ｂカウンタ３１ａ、３１ｂ、３１ｃへも出力する（図７のＳ５０の処理に相当）。
この各ＲＧＢデータｈ１，ｈ２，ｈ３がドライバ５０に出力されている間、上述のプロセスにおいて、Ｒ、Ｇ、Ｂ毎に得られた参照電圧Ｖｒｅｆに基づき、ドライバ５０に含まれるＤＡＣがＲデータｈ１、Ｇデータｈ２、及びＢデータｈ３をアナログ変換して得られたアナログデータｅを有機ＥＬパネル６０へ供給する。
有機ＥＬパネル６０に画像が表示されるとともに、各ＲＧＢデータ毎のカウントが各Ｒ、Ｇ、Ｂカウンタ３１ａ、３１ｂ、３１ｃで行われる。このとき、各Ｒ、Ｇ、Ｂカウンタ３１ａ、３１ｂ、３１ｃは、予め読み込んでおいた各Ｒ、Ｇ、Ｂ累積輝度ｊ１，ｊ２，ｊ３に各Ｒ、Ｇ、Ｂデータｈ１，ｈ２，ｈ３のカウント値を加えて各Ｒ、Ｇ、Ｂのカウントデータｋ１，ｋ２，ｋ３とする。
【００３５】
シーケンス制御回路１０は、ＲＧＢデータｈ１，ｈ２，ｈ３の出力を停止して有機ＥＬパネル６０を画像非表示状態とし、表示不許可信号（ｆ＝“Ｌ”）をＲＧＢカウンタ３１へ出力するとともに、フレーム同期信号ｇの出力を停止する（図７のＳ６０の処理に相当）。このことで、各ＲＧＢデータｈ１，ｈ２，ｈ３のカウントが停止する。次いで、ＲＧＢカウンタ３１ａ、３１ｂ、３１ｃで計測した各Ｒ、Ｇ、Ｂのカウントデータｋ１，ｋ２，ｋ３を不揮発性メモリ２０に書き込む（図７のＳ７０の処理に相当）。この際、シーケンス制御回路１０は、不揮発メモリの書き込み信号ｂ２を“Ｈ”として不揮発メモリ２０へ出力し、各カウントデータｋ１，ｋ２，ｋ３の書き込みを可能としておく。この書き込まれた各カウントデータｋ１，ｋ２，ｋ３が新たな各累積輝度ｊ１，ｊ２，ｊ３となる。
【００３６】
なお、シーケンス制御回路１０、Ｒｅｄカウンタ３１ａ、Ｇｒｅｅｎカウンタ３１ｂ、Ｂｌｕｅカウンタ３１ｃ、出力補正テーブル４０ａ、セレクタ４０ｂ及びＤＡＣ４０ｃは、適宜、ソフトウエア、あるいは、ハードウエアで構成できる。また、ドライバ５０は、電流駆動回路、あるいは、電圧駆動回路のいずれでも構成できる。
【００３７】
ここで、本実施例による輝度補正の効果につき、図８及び図９の輝度寿命特性グラフを参照にして説明する。なお、図８及び図９における輝度とは、所定のＲＧＢデータをドライバ５０に入力した時の輝度である。
【００３８】
従来の輝度補正技術を施していない有機ＥＬ表示装置にあっては、図８のグラフに示すように、時間の経過とともに、Ｒ、Ｇ及びＢを全てを点灯した時のＷ（白色）、Ｇ、Ｂの輝度が使用初期に比べて５０％近く低下している。しかしながら、本実施例においては、図９に示すように、輝度の低下が大幅に抑えられている。特に、白色については、輝度の低下を２０％程度に抑えている。
この点、前述した第一、二実施例についても同様である。
【００３９】
これまで説明した実施例１乃至３において、輝度を調整すべく、ドライバへに含まれるＤＡＣの供給する参照電圧Ｖｒｅｆを調整しているが、これはあくまで一例であって、有機ＥＬ素子に印加する電源電圧の調整や、データの加工をする等、適宜、設計変更が可能である。
例えば、図１０に示すように駆動電圧Ｖｏｅｌを累積点灯時間ａに応じて設定するようにしてもよい。この場合、駆動電圧制御回路７０のセレクタ７０ｂにセレクト信号ｃが入力され、出力補正テーブル７０ａを参照して、ＤＡＣ機能を含む電源回路７０ｃへ信号ｄを出力する。信号ｄに基づいて駆動電圧Ｖｏｅｌが設定され、駆動電圧Ｖｏｅｌが電源回路７０ｃから有機ＥＬパネル６０に出力される。
また、図１１に示すようにデジタルデータそのものを累積点灯時間ａに応じて加工するようにしてもよい。この場合、データ補正回路８０のセレクタ８０ｂにセレクト信号が入力され、出力補正テーブル８０ａを参照して信号ｄをデジタル−デジタル変換部ＤＤＣ８０ｃに出力し、デジタルデータｈに対して、ＤＤＣ８０ｃで行われる補正の基準値を設定する。ＤＤＣ８０ｃで補正されたデジタルデータｈ‘がドライバ５０に入力され、アナログ変換され、アナログデータｅが有機ＥＬパネルに供給されることとなる。
図１０及び図１１に示した例については、もちろん、上述の実施例二及び三のように累積輝度を基に駆動電圧Ｖｏｅｌ、あるいはデジタルデータｈを調整あるいは補正することが可能である。
また、経時劣化による輝度の低下を本実施例の適用対象としたが、使用環境の温度の変化による輝度の増加に対しても同様の方法で適用できる。
製品の出荷時からの累積点灯時間あるいは累積輝度に基づいて補正を行う必要がない場合は、不揮発メモリの代わりに揮発性メモリで代用することもできる。また、１回の使用中で、複数回補正することも、もちろん可能である。そのような図２あるいは図５に示されたシークエンスにおいて、所定期間内にＳ７０からＳ２０の戻るステップを複数回行うこととなる。
Ｒ、Ｇ、及びＢに対して設けられた共通の光源から発せられた光をＲ、Ｇ、及びＢのそれぞれに対して設けられた色変換層で変換して、Ｒ、Ｇ、及びＢの光を得る有機ＥＬ素子に対して適用することもできる。そのような場合、Ｒ、Ｇ、及びＢの全てデジタルデータをＲＧＢカウンタで計測してもよいし、Ｒ、Ｇ、Ｂのいずれか一色だけを計測してもよい。
【００４０】
つぎに、上述した電子装置の一例として有機ＥＬ表示装置を具体的な電子機器に用いた例のいくつかについて説明する。まず、この実施形態に係る有機ＥＬ表示体をモバイル型のパーソナルコンピュータに適用した例について説明する。図１２は、このモバイル型のパーソナルコンピュータの構成を示す斜視図である。同図において、パーソナルコンピュータ１１００は、キーボード１１０２を備えた本体部１１０４と、表示ユニット１１０６とにより構成され、この表示ユニット１１０６が前述の有機ＥＬ表示装置を備えている。
【００４１】
また、図１３は前述の有機ＥＬ表示装置をその表示部に適用した携帯電話機の構成を示す斜視図である。この図において、携帯電話機１２００は、複数の操作ボタン１２０２のほか、受話口１２０４、送話口１２０６とともに、前述の電気光学装置１００を備えている。
【００４２】
また、図１４は前述の有機ＥＬ表示装置１００を、そのファインダに適用したディジタルスチルカメラの構成を示す斜視図である。なお、この図には外部機器との接続についても簡易的に示している。ここで通常のカメラは、被写体の光像によりフィルムを感光するのに対し、ディジタルスチルカメラ１３００は、被写体の光像をＣＣＤ（Ｃｈａｒｇｅ　Ｃｏｕｐｌｅｄ　Ｄｅｖｉｃｅ）などの撮像素子により光電変換して撮像信号を生成する。ディジタルスチルカメラ１３００におけるケース１３０２の背面には、前述の有機ＥＬ表示装置が設けられ、ＣＣＤによる撮像信号に基づいて表示を行う構成になっており、有機ＥＬ表示装置は被写体を表示するファインダとして機能する。また、ケース１３０２の観察側（図においては裏面側）には、光学レンズやＣＣＤなどを含んだ受光ユニット１３０４が設けられている。
【００４３】
撮影者が有機ＥＬ表示装置に表示された被写体像を確認しシャッタボタン１３０６を押下すると、その時点におけるＣＣＤの撮像信号が、回路基板１３０８のメモリに転送・格納される。また、このディジタルスチルカメラ１３００にあっては、ケース１３０２の側面に、ビデオ信号出力端子１３１２と、データ通信用の入出力端子１３１４とが設けられている。そして、図に示されるように、前者のビデオ信号出力端子１３１２にはテレビモニタ１４３０が、また、後者のデータ通信用の入出力端子１３１４にはパーソナルコンピュータ１４３０が、それぞれ必要に応じて接続される。さらに、所定の操作により回路基板１３０８のメモリに格納された撮像信号が、テレビモニタ１４３０や、パーソナルコンピュータ１４４０に出力される構成になっている。
【００４４】
なお、本発明の有機ＥＬ表示装置が適用される電子機器としては、図１１のパーソナルコンピュータや、図１２の携帯電話、図１３のディジタルスチルカメラの他にも、テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器、スマートロボット、調光付き照明機器、電子書籍などが挙げられる。そして、これらの各種電子機器の表示部として、前述した有機ＥＬ表示装置が適用可能なのは言うまでもない。
【００４５】
電気光学素子に供給する駆動電流の量を調整することにより、輝度の変化を補償することができる。
【図面の簡単な説明】
【図１】本発明の第一実施例に係る有機ＥＬ表示装置を示し、（ａ）は全体の制御ブロック図であり、（ｂ）は駆動電流制御回路４０の制御ブロック図である。
【図２】本発明の第一実施例に係る有機ＥＬ表示装置のシーケンス制御回路１０の動作を示すフローチャートである。
【図３】本発明の一実施形態に係る有機ＥＬ表示装置における、ドライバ駆動電流に対する輝度の特性グラフである。
【図４】本発明の第二実施例に係る有機ＥＬ表示装置の制御ブロック図である。
【図５】本発明の第二実施例に係る有機ＥＬ表示装置のシーケンス制御回路１０の動作を示すフローチャートである。
【図６】本発明の第三実施例に係る有機ＥＬ表示装置の制御ブロック図である。
【図７】本発明の第三実施例に係る有機ＥＬ表示装置のシーケンス制御回路１０の動作を示すフローチャートである。
【図８】従来の有機ＥＬ表示装置の輝度寿命特性グラフである。
【図９】本発明の一実施形態に係る有機ＥＬ表示装置の輝度寿命特性グラフである。
【図１０】本発明の第一の応用例に係る有機ＥＬ表示装置を示し、（ａ）は全体の制御ブロック図であり、（ｂ）は駆動電圧制御回路７０の制御ブロック図である。
【図１１】本発明の第二の応用例に有機ＥＬ表示装置を示し、（ａ）は全体の制御ブロック図であり、（ｂ）はデータ補正回路８０の制御ブロック図である。
【図１２】本発明の電気光学装置を、モバイル型のパーソナルコンピュータに適用した場合の一例を示す図である。
【図１３】本発明の電気光学装置を、携帯電話機の表示部に適用した場合の一例を示す図である。
【図１４】
本発明の電気光学装置を、そのファインダに適用したディジタルスチルカメラの斜視図を示す図である。
【符号の説明】
１００　　電気光学装置
１１００　パーソナルコンピュータ
１１０２　キーボード
１１０４　本体部
１１０６　表示ユニット
１２００　携帯電話機
１２０２　操作ボタン
１２０４　受話口
１２０６　送話口
１３００　ディジタルスチルカメラ
１３０２　ケース
１３０４　受光ユニット
１３０６　シャッタボタン
１３０８　回路基板
１３１２　ビデオ信号出力端子
１３１４　データ通信用の入出力端子
１４３０　テレビモニタ
１４４０　パーソナルコンピュータ
【図１】
2004029715.tif 000003
【図２】
2004029715.tif 000004
【図３】
2004029715.tif 000005
【図４】
2004029715.tif 000006
【図５】
2004029715.tif 000007
【図６】
2004029715.tif 000008
【図７】
2004029715.tif 000009
【図８】
2004029715.tif 000010
【図９】
2004029715.tif 000011
【図１０】
2004029715.tif 000012
【図１１】
2004029715.tif 000013
【図１２】
2004029715.tif 000014
【図１３】
2004029715.tif 000015
【図１４】
2004029715.tif 000016